【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  少なくとも二つのパケットデータ制御チャンネルに優先順位を与える段階と、
前記優先順位が与えられたパケットデータ制御チャンネルの少なくとも一つを介してパケットデータチャンネルに関する制御情報を伝送する段階と、
前記パケットデータチャンネル上に前記パケットデータを各々伝送する段階とを含めてなることを特徴とする、無線通信システムにおいてパケットデータチャンネル上でパケットデータを伝送する方法。
【請求項２】  前記優先順位が与えられたパケットデータ制御チャンネルの少なくとも一つは現在用いられるパケットデータ制御チャンネルの優先順位及び数に基づき決定されることを特徴とする、請求項１に記載の無線通信システムにおいてパケットデータチャンネル上でパケットデータを伝送する方法。
【請求項３】  前記制御情報は、少なくとも二つの優先順位が与えられたパケットデータ制御チャンネル上で各々伝送され、各々の制御情報は特定時間に同時に伝送されることを特徴とする、請求項１に記載の無線通信システムにおいてパケットデータチャンネル上でパケットデータを伝送する方法。
【請求項４】  各々の移動局に追加制御情報を伝送する段階を更に包含し、該追加制御情報はＣＤＭが支援されるかに対する可否を指示する第１情報と、
パケットデータ制御チャンネルの数を指示する第２情報と、
現在使用されているパケットデータ制御チャンネルの数を指示する第３情報と、
ＣＤＭが現在用いられているかを指示する第４情報と
を包含していることを特徴とする、請求項１に記載の無線通信システムにおいてパケットデータチャンネル上でパケットデータを伝送する方法。
【請求項５】  前記優先順位に基づくワルシコード情報に各移動局の優先順位が与えられたパケットデータ制御チャンネルの優先順位を通報する段階を更に含めてなることを特徴とする、請求項１に記載の無線通信システムにおいてパケットデータチャンネル上でパケットデータを伝送する方法。
【請求項６】  前記ワルシコード情報は既に決定されるか、制御チャンネル上で伝送されることを特徴とする、請求項５に記載の無線通信システムにおいてパケットデータチャンネル上でパケットデータを伝送する方法。
【請求項７】  前記優先順位が与えられたパケットデータ制御チャンネル上における制御情報は前記ワルシコード情報によって伝送されることを特徴とする、請求項５に記載の無線通信システムにおいてパケットデータチャンネル上でパケットデータを伝送する方法。
【請求項８】  伝送のための一つ以上のパケットデータをスケジューリングする段階と、
前記スケジューリングの間ＣＤＭを用いるか用いないかに対して決定する段階と、
ＣＤＭが用いられる場合、優先順位を有する少なくとも二つのパケットデータ制御チャンネル上で少なくとも二つのパケットデータ制御チャンネルに関連される制御情報を伝送する段階と、
一つ又はその以上のデータ伝送区間の間、前記制御チャンネルに当たるパケットデータチャンネルを介して前記パケットデータを伝送する段階と
を含めてなることを特徴とする、通信システムにおいてパケットデータチャンネル上でパケットデータを伝送する方法。
【請求項９】  ＣＤＭが用いられていない場合、最上の優先順位を有する制御チャンネルを制御情報を伝送する段階を更に含めてなることを特徴とする、請求項８に記載の通信ネットワークにおいてパケットデータチャンネルでパケットデータを伝送する方法。
【請求項１０】  第１優先順位を有するパケットデータ制御チャンネルと連結されたデータチャンネルの各伝送区間は最下位の優先順位を有するデータチャンネルの各伝送区間を制限することを特徴とする、請求項８に記載の通信ネットワークにおいてパケットデータチャンネルでパケットデータを伝送する方法。
【請求項１１】  第１優先順位を有する第１パケットデータ制御チャンネル上から第１移動局に第１制御情報を伝送する段階と、
第２優先順位を有する第２パケットデータ制御チャンネル上から第２移動局に第２制御情報を伝送する段階と
を含めてなることを特徴とする、請求項８に記載の通信システムにおいてパケットデータ制御情報を伝送する方法。
【請求項１２】  ワルシコード情報によって各移動局の第２優先順位と第１優先順位を知らせる段階と更に含めてなることを特徴とする、請求項１１に記載の無線通信システムにおいてパケットデータ制御情報を伝送する方法。
【請求項１３】  前記ワルシコード情報は既に決定されるか或いは制御チャンネル上で伝送されることを特徴とする、請求項１２に記載の無線通信システムにおいてパケットデータ制御情報を伝送する方法。
【請求項１４】  第２制御情報を伝送するためのフレーム区間は第１情報を伝送するためのフレーム区間によって制限されることを特徴とする、請求項１１に記載の無線通信システムにおいてパケットデータ制御情報を伝送する方法。
【請求項１５】  前記第１フレーム区間は特定時間に前記第２フレーム区間と同一に配置されることを特徴とする、請求項１４に記載の無線通信システムにおいてパケットデータ制御情報を伝送する方法。
【請求項１６】  前記第２フレーム区間は前記第１フレーム区間より短いか同一であることを特徴とする、請求項１４に記載の無線通信システムにおいてパケットデータ制御情報を伝送する方法。
【請求項１７】  前記第２フレーム区間は前記第１フレーム区間と同一であることを特徴とする、請求項１４に記載の無線通信システムにおいてパケットデータ制御情報を伝送する方法。
【請求項１８】  無線通信システムにおいて制御情報を伝送する方法であって、
該方法は、
少なくとも２つのパケットデータチャンネルに対応する複数の制御情報を伝送するステップを包含し、
該複数の制御情報は、同一時間に合わせられたフレーム区間を用いて、少なくとも２つのパケットデータ制御チャンネル上を伝送される、方法。
【請求項１９】  前記少なくとも２つのパケットデータ制御チャンネルのフレーム区間は、前記対応する少なくとも２つのパケットデータチャンネルのフレーム区間と同一である、請求項１８に記載の方法。
【請求項２０】  前記少なくとも２つのパケットデータ制御チャンネルの伝送開始時間は、前記対応する少なくとも２つのパケットデータチャンネルの伝送開始時間に合わせられている、請求項１８に記載の方法。
【請求項２１】  前記複数の制御情報のうちの第２の制御情報を伝送するためのフレーム区間は、前記複数の制御情報のうちの第１の制御情報を伝送するためのフレーム区間によって決定される、請求項１８に記載の方法。
【請求項２２】  前記複数の制御情報のうちの前記第２の制御情報はのフレーム区間は、前記複数の制御情報のうちの第１の制御情報のフレーム区間に合わされている、請求項２１に記載の方法。
【請求項２３】  前記複数の制御情報のうちの前記第２の制御情報のフレーム区間は、前記複数の制御情報のうちの前記第１の制御情報のフレーム区間に等しい、もしくは、前記複数の制御情報のうちの前記第１の制御情報のフレーム区間より大きい、請求項２１に記載の方法。
【請求項２４】  前記複数の制御情報のうちの前記第２の制御情報のフレーム区間は、前記複数の制御情報のうちの前記第１の制御情報のフレーム区間に等しい、請求項２１に記載の方法。
【請求項２５】  基地局からパケットデータ制御チャンネルの優先順位情報を受信する段階と、
前記優先順位情報によって割り当てられた移動局に当たるパケットデータ制御チャンネルを検出する段階と、
前記パケットデータ制御チャンネル上に制御情報を受信する段階とを含めてなることを特徴とする、無線通信システムにおいてパケットデータ制御チャンネルを介して制御情報を受信する方法。
【請求項２６】  前記優先順位情報は既に決定されているか、シグナリングチャンネル又は放送チャンネルを介して伝送されることを特徴とする、請求項２５に記載の無線通信システムにおいてパケットデータ制御チャンネルを介して制御情報を受信する方法。
【請求項２７】  前記優先順位情報はワルシコード情報であることを特徴とする、請求項２６に記載の無線通信システムにおいてパケットデータ制御チャンネルを介して制御情報を受信する方法。
【請求項２８】  少なくとも一つの制御チャンネルの優先順位情報と制御チャンネル情報とＣＤＭが現在用いているかどうかを指示するＣＤＭ指示者を含む情報を基地局から受信する段階と、
前記基地局から受信された情報によって前記少なくとも一つの制御チャンネルをモニターリングする段階と、
前記モニターリング結果から獲得された結果を用いて各移動局によって当該パケットデータを受信する段階と
を含めてなることを特徴とする、通信ネットワークにおいてパケットデータを通信する方法。
【請求項２９】  前記制御チャンネル情報は制御チャンネルの最大数及び／又は現在使用中の制御チャンネルの数を含めていることを特徴とする、請求項２８に記載の通信ネットワークにおいてパケットデータを通信する方法。
【請求項３０】  前記ＣＤＭ指示者が受信されず、制御チャンネルの最大数が知られている場合、制御チャンネルの最大数によって各移動局が制御チャンネルをモニターリングすることを特徴とする、請求項２９に記載の通信ネットワークにおいてパケットデータを通信する方法。
【請求項３１】  前記ＣＤＭ指示者が受信された場合、前記ＣＤＭ指示者によって各移動局が前記制御チャンネルをモニターリングすることを特徴とする、請求項２８に記載の通信ネットワークにおいてパケットデータを通信する方法。
【請求項３２】  少なくとも二つの制御チャンネルと少なくとも二つのデータチャンネルが無線通信システムで支援されている場合、
既に決定されたしきい値に応答して少なくとも二つの制御チャンネルに優先順位を与える段階と、
前記優先順位が与えられた制御チャンネルと前記少なくとも二つのチャンネルを連結させる段階と、
少なくとも一つの移動局に前記優先順位が与えられた制御チャンネルを通報する段階と、
前記優先順位が与えられた制御チャンネルに当たる少なくとも一つのデータチャンネルを用いて前記パケットデータを伝送する段階と、
を含めてからなることを特徴とする、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる無線通信システムにおいてパケットデータを伝送する方法。
【請求項３３】  最上位の優先順位を有する制御チャンネルは最下位の優先順位を有する制御チャンネルよりまず用いられることを特徴とする、請求項３２に記載のＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる無線通信システムにおいてパケットデータを伝送する方法。
【請求項３４】  前記制御チャンネルはフレーム間の多様なフレーム区間を含め、前記制御チャンネルと関連されたデータチャンネルは時間的に同一に配置されるフレーム区間を同時に有することを特徴とする、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる無線通信システムにおいてパケットデータを伝送する方法。
【請求項３５】  前記少なくとも二つの制御チャンネルとこれらと関連された前記少なくとも二つのデータチャンネルは時間的に同一に配置されたフレーム区間を有することを特徴とする、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる無線通信システムにおいてパケットデータを伝送する方法。
【請求項３６】  少なくとも二つの制御チャンネルと少なくとも二つのデータチャンネルが無線通信ネットワークで支援されている場合、
前記少なくとも二つの制御チャンネルを優先順位化した制御チャンネル情報を受信する段階と、
前記優先順位が与えられた制御チャンネルと前記少なくとも二つのデータチャンネルを連結させる段階と、
前記優先順位が与えられた制御チャンネルの順序によって前記少なくとも二つの制御チャンネルをモニターリングする段階を含めてからなることを特徴とする、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる無線通信ネットワークにおいてパケットデータを受信する方法。
【請求項３７】  前記移動局が割り当てられた情報と関連された情報を検出すると前記モニターリング段階を終了することを特徴とする、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる通信ネットワークにおいてパケットデータを受信する方法。
【請求項３８】  前記割り当てられた情報はワルシコード情報を含んでいることを特徴とする、ＣＤＭ及び／又はＴＤＭを用いる通信ネットワークにおいてパケットデータを受信する方法。
【請求項３９】  前記割り当てられた情報は既に決定されているか、放送チャンネルと、シグナリングチャンネル中の一つを介して伝送されることを特徴とする、ＣＤＭ及び／又はＴＤＭを用いる通信ネットワークにおいてパケットデータを受信する方法。
【請求項４０】  前記割り当てられた情報は拡散されるか前記ワルシコード情報を用いて伝送されることを特徴とする、ＣＤＭ及び／又はＴＤＭを用いる通信ネットワークにおいてパケットデータを受信する方法。
【請求項４１】  少なくとも二つの制御チャンネルと少なくとも二つのデータチャンネルが無線通信システムから支援されている場合、
既に決定されたしきい値に応じて少なくとも二つの制御チャンネルに優先順位を与える手段と、
前記少なくとも二つのデータチャンネルと優先順位が与えられた前記制御チャンネルを連結する手段と、
優先順位が与えられた前記制御チャンネルに当たる少なくとも二つのデータチャンネルを用いて前記パケットデータを伝送する手段を含めて構成されることを特徴とする、ＣＤＭ及び／又はＴＤＭを用いる通信ネットワークにおいてパケットデータを受信する方法。
【請求項４２】  前記少なくとも二つのデータ制御チャンネルと関連されたワルシコード情報を前記移動局に伝送する手段を更に含めて構成されることを特徴とする、ＣＤＭ及び／又はＴＤＭを用いる通信ネットワークにおいてパケットデータを受信する方法。
【請求項４３】  最上位の優先順位を有する制御チャンネルは最下位の優先順位を有する制御チャンネルよりまず用いられることを特徴とする、ＣＤＭ及び／又はＴＤＭを用いる通信ネットワークにおいてパケットデータを受信する方法。
【請求項４４】  前記制御チャンネルはフレーム間多様なフレーム区間を有し、前記制御チャンネルに連結されたデータチャンネルは時間的に同一に配列されたフレーム区間を有することを特徴とする、ＣＤＭ及び／又はＴＤＭを用いる通信ネットワークにおいてパケットデータを受信する方法。
【請求項４５】  前記少なくとも二つの制御チャンネルとこれらに連結されている前記少なくとも二つのデータチャンネルは時間的に同一に配列されたフレーム区間を有することを特徴とする、ＣＤＭ及び／又はＴＤＭを用いる通信ネットワークにおいてパケットデータを受信する方法。
【請求項４６】  少なくとも二つの制御チャンネルと、少なくとも二つのデータチャンネルが支援されている場合、
前記少なくとも二つの制御チャンネルの優先順位が与えられた優先順位制御チャンネル情報を受信する手段と、
前記少なくとも二つのデータチャンネルと前記優先順位が与えられたデータチャンネルを連結する手段と、
優先順位が与えられた前記制御チャンネルの順に従って前記少なくとも二つの制御チャンネルをモニターリングする手段を含めて構成されることを特徴とする、ＣＤＭ及び／又はＴＤＭを用いる通信ネットワークにおいてパケットデータを受信するための移動局。
【請求項４７】  前記移動局は割り当てられた情報と関連された情報を検出する時前記モニターリング段階を終了することを特徴とする、ＣＤＭ及び／又はＴＤＭを用いる通信ネットワークにおいてパケットデータを受信するための移動局。
【請求項４８】  無線通信システムにおいて制御情報を伝送する方法であって、
該方法は、
第１のパケットデータチャンネルのための制御情報を第１のパケットデータ制御チャンネル上に伝送するステップと、
第２のパケットデータチャンネルのための制御情報を第２のパケットデータ制御チャンネル上に伝送するステップと
を包含し、
該第１のパケットデータ制御チャンネルを伝送するためのフレーム区間と該第２のパケットデータ制御チャンネルを伝送するためのフレーム区間とは、時間的に合わせられており、かつ、同一の長さを有している、方法。
【請求項４９】  前記第１のパケットデータ制御チャンネルを伝送するためのフレーム区間と前記第１のパケットデータチャンネルを伝送するためのフレーム区間とは、時間的に合わせられており、かつ、同一の長さを有している、請求項４８に記載の方法。
【請求項５０】  前記第２のパケットデータ制御チャンネルを伝送するためのフレーム区間と前記第２のパケットデータチャンネルを伝送するためのフレーム区間とは、時間的に合わせられており、かつ、同一の長さを有している、請求項４８に記載の方法。
【請求項５１】  無線通信システムにおける基地局と移動局との間でパケットデータチャンネル上のパケットデータおよび制御情報を伝送する方法であって、
該方法は、
第１の制御情報を第１のパケットデータ制御チャンネル上に伝送するステップを包含し、
第２の制御情報を第２のパケットデータ制御チャンネル上に伝送することによって特徴付けられており、該第１の制御情報は、第１のパケットデータチャンネルに関連付けられており、該第２の制御情報は、第２のパケットデータチャンネルに関連付けられており、
該第１および第２の制御情報の両方が使用される場合には、該第１および第２のパケットデータ制御チャンネルは、該第１の制御情報が該第２の制御情報より前に使用されるように所定の順序でデコードされる、方法。
【請求項５２】  前記所定の順序は、使用されるパケットデータ制御チャンネルの数に基づいて決定される、請求項５１に記載の方法。
【請求項５３】  パケットデータを伝送する前に、追加の情報を少なくとも１つの移動局に伝送することと、
前記第１および第２の制御情報を伝送することと
をさらに包含し、
該追加の情報は、ＣＤＭがサポートされているかどうかを示す情報と、パケットデータチャンネルの最大数を示す情報と、現在使用されているパケットデータ制御チャンネルの数を示す情報と、ＣＤＭが現在使用されているかどうかを示す情報とのうちの少なくとも１つを含む、請求項５１に記載の方法。
【請求項５４】  ワルシコード情報を少なくとも１つの移動局に伝送することをさらに包含し、該ワルシコード情報は、前記第１および第２のパケットデータ制御チャンネルのうちの少なくとも１つに対応する、請求項５１に記載の方法。
【請求項５５】  伝送のためのパケットデータを少なくとも１つのパケットデータチャンネル上でスケジューリングすることと、
少なくとも１つのデータ伝送期間の間、該パケットデータを少なくとも１つのパケットデータチャンネルを介して伝送することと
をさらに包含する、請求項５１に記載の方法。
【請求項５６】  無線通信システムにおいて移動局で制御情報およびパケットデータを受信する方法であって、
該方法は、
第１のパケットデータ制御情報を受信するように第１のパケットデータ制御チャンネルを受信することを包含し、
第２のパケットデータ制御情報を受信するように第２のパケットデータ制御チャンネルを受信することと、
該第１のパケットデータ制御チャンネル上の情報を分析することと、
該第１のパケットデータ制御チャンネル上の該情報を分析することに基づいて、該第２のパケットデータ制御チャンネルを用いることと
によって特徴付けられている、方法。
【請求項５７】  前記第１および第２のパケットデータ制御チャンネルのうちの少なくとも１つに対応するワルシコード情報を受信することをさらに包含する、請求項５６に記載の方法。
【請求項５８】  前記第１のパケットデータ制御チャンネル上の情報は、ＣＤＭが現在使用されているかどうかを示すＣＤＭインジケータを含む、請求項５６に記載の方法。
【請求項５９】  前記移動局は、制御チャンネルの最大数と現在使用されている制御チャンネルの数とをさらに受信する、請求項５８に記載の方法。
【請求項６０】  前記所定の順序は、ＣＤＭが実行されているかどうかに基づいている、請求項５１に記載の方法。
【請求項６１】  前記所定の順序は、デコードが実行されているかどうかに基づいている、請求項５１に記載の方法。
【請求項６２】  サポートされているパケットデータ制御チャンネルの最大数もしくはパケットデータチャンネルの最大数を示す情報を伝送することをさらに包含する、請求項５１に記載の方法。
【請求項６３】  各パケットデータ制御チャンネルがそれに関連付けられたパケットデータチャンネルのための制御情報を含むように、前記第１のパケットデータチャンネルおよび前記第１のパケットデータ制御チャンネルは１対１対応を有しており、かつ、前記第２のパケットデータチャンネルおよび前記第２のパケットデータ制御チャンネルは１対１対応を有している、請求項５１に記載の方法。
【請求項６４】  パケットデータを受信する前に、追加の情報を受信することと、
前記第１および第２のパケットデータ制御情報を受信することと
をさらに包含し、
該追加の情報は、ＣＤＭがサポートされているかどうかを示す情報と、パケットデータチャンネルの最大数を示す情報と、現在使用されているパケットデータ制御チャンネルの数を示す情報と、ＣＤＭが現在使用されているかどうかを示す情報とのうちの少なくとも１つを含む、請求項５６に記載の方法。
【請求項６５】  サポートされているパケットデータ制御チャンネルの最大数もしくはパケットデータチャンネルの最大数を示す情報を伝送することをさらに包含する、請求項５６に記載の方法。
【請求項６６】  各パケットデータ制御チャンネルがそれに関連付けられたパケットデータチャンネルのための制御情報を含むように、第１のパケットデータチャンネルおよび前記第１のパケットデータ制御チャンネルは１対１対応を有しており、かつ、第２のパケットデータチャンネルおよび前記第２のパケットデータ制御チャンネルは１対１対応を有している、請求項５８に記載の方法。